(57)【特許請求の範囲】
【請求項１】
ユニットが挿抜される収容空間を有するケースと、
前記ユニットの挿抜方向と直交する方向から見た場合に、前記収容空間に挿入された前記ユニットと重複し、前記収容空間を通るフレキシブルケーブルと、
前記収容空間に固定されて設けられ、前記収容空間に挿入された前記ユニットと前記フレキシブルケーブルとの間に配置される保護部と、
を備える情報処理装置。
【請求項２】
ユニットが挿抜される収容空間を有するケースと、
前記ユニットの挿抜方向と直交する方向から見た場合に、前記収容空間に挿入された前記ユニットと重複し、前記収容空間を通るフレキシブルケーブルと、
前記収容空間に設けられ、前記収容空間に挿入された前記ユニットと前記フレキシブルケーブルとの間に配置される保護部と、
キーボードユニットと、
前記キーボードユニットの背面側から前記キーボードユニットを支持するフレーム部材と、
を備え、
前記保護部は、前記フレーム部材に形成されている、
情報処理装置。
【請求項３】
前記ケースと、前記ケースに収容された回路基板とを有する本体装置と、
前記本体装置に回動可能に固定された表示装置と、
前記表示装置に搭載された部材と前記回路基板とを接続する接続ケーブルと、
を備え、
前記接続ケーブルは、前記フレキシブルケーブルに対する前記保護部と反対側から前記フレキシブルケーブルを前記保護部側に押え付けている、
請求項１又は請求項２に記載の情報処理装置。
【請求項４】
前記保護部は、前記接続ケーブルを保持するクランプ部を有する、
請求項３に記載の情報処理装置。
【発明の詳細な説明】
【技術分野】
【０００１】
本願の開示する技術は、情報処理装置に関する。
【背景技術】
【０００２】
情報処理装置としては、例えば、収容空間を有するケースと、収容空間に対して挿抜されるユニットとを備えるものがある（例えば、特許文献１参照）。また、情報処理装置のなかには、フレキシブルケーブルを用いて電気部品同士を接続したものがある（例えば、特許文献２参照）。
【先行技術文献】
【特許文献】
【０００３】
【特許文献１】特開２００１−２７９１６号公報
【特許文献２】国際公開第２０１１／０６１８５６号パンフレット
【特許文献３】特開２００９−２５４０７１号公報
【特許文献４】実開平５−２３５７８号公報
【発明の概要】
【発明が解決しようとする課題】
【０００４】
ユニットが挿抜される収容空間をフレキシブルケーブルが通ると、収容空間に対してユニットが挿抜される際に、ユニットとフレキシブルケーブルとが干渉し、フレキシブルケーブルが傷付く虞がある。
【０００５】
本願の開示する技術は、一つの側面として、ユニットの挿抜時にフレキシブルケーブルが傷付くことを抑制できる情報処理装置を提供することを目的とする。
【課題を解決するための手段】
【０００６】
上記目的を達成するために、本願の開示する技術の情報処理装置は、ケースと、フレキシブルケーブルと、保護部とを備える。ケースは、ユニットが挿抜される収容空間を有する。フレキシブルケーブルは、ユニットの挿抜方向と直交する方向から見た場合に、収容空間に挿入されたユニットと重複し、収容空間を通る。保護部は、収容空間に固定されて設けられており、収容空間に挿入されたユニットとフレキシブルケーブルとの間に配置される。
【発明の効果】
【０００７】
本願の開示する技術によれば、ユニットの挿抜時にフレキシブルケーブルが傷付くことを抑制することができる
【図面の簡単な説明】
【０００８】
【図１】ノート型パーソナルコンピュータの斜視図である。
【図２】ノート型パーソナルコンピュータ、及び、ベイに挿入される複数のユニットを示す斜視図である。
【図３】ノート型パーソナルコンピュータを底面側から見た分解斜視図である。
【図４】フレーム部材の要部拡大斜視図である。
【図５】図４とは異なる方向から見たフレーム部材の要部拡大斜視図である。
【図６】ロアカバーが取り外された状態でのノート型パーソナルコンピュータの底面図である。
【図７】ロアカバー及びバッテリが取り外された状態でのノート型パーソナルコンピュータを底面側から見た斜視図である。
【図８】ベイに光ディスクドライブユニットが挿入される過程を示す図である。
【図９】ベイに光ディスクドライブユニットが挿入された状態を示す図である。
【図１０】図９のＦ１０−Ｆ１０線断面図である。
【図１１】ロアカバーの斜視図である。
【図１２】ロアカバーの要部拡大斜視図である。
【発明を実施するための形態】
【０００９】
以下、本願の開示する技術の一実施形態を説明する。
【００１０】
本実施形態では、「情報処理装置」の一例として、ノート型パーソナルコンピュータについて説明する。図１には、本実施形態に係るノート型パーソナルコンピュータ１０が斜視図にて示されている。
【００１１】
各図の矢印ＵＰ、矢印ＦＲ、及び、矢印ＲＨは、ノート型パーソナルコンピュータ１０の高さ方向の上側、奥行方向の手前側（前側）、及び、横幅方向の右側をそれぞれ示している。図１に示されるように、ノート型パーソナルコンピュータ１０は、本体装置１２及び表示装置１４を備える。
【００１２】
本体装置１２には、キーボードユニット１６が設けられ、表示装置１４には、例えば液晶表示器などの表示器１８が設けられている。表示装置１４は、本体装置１２に回動可能に固定されている。この表示装置１４は、本体装置１２側に閉じられた状態と、本体装置１２から開かれた状態とを取り得る。図１では、表示装置１４が開かれた状態で示されている。
【００１３】
図２には、ノート型パーソナルコンピュータ１０、及び、本体装置１２に形成されたベイに対して挿抜される複数のユニットが斜視図にて示されている。この図２に示されるように、本体装置１２には、「収容空間」の一例であるベイ２０が形成されている。このベイ２０は、平面視にて概略矩形状に形成されており、一例として、本体装置１２の右側面に開口している。
【００１４】
このベイ２０には、光ディスクドライブ（ODD:Optical Disk Drive）ユニット２２が挿入される。この光ディスクドライブユニット２２は、「ユニット」の一例である。また、ベイ２０には、光ディスクドライブユニット２２の他に、増設バッテリユニット２４及びダミーユニット２６等を選択的に挿入することが可能である。
【００１５】
本実施形態のノート型パーソナルコンピュータ１０は、光ディスクドライブユニット２２、増設バッテリユニット２４、及び、ダミーユニット２６のいずれかを備える。この光ディスクドライブユニット２２、増設バッテリユニット２４、及び、ダミーユニット２６は、いずれも概略平盤状に形成されている。
【００１６】
本体装置１２は、偏平箱型のケース２８を有している。このケース２８は、本体装置１２の厚さ方向に二分割されたアッパーカバー３０及びロアカバー３２を有する。図３には、ノート型パーソナルコンピュータ１０を底面側から見た分解斜視図が示されている。この図３では、ロアカバー３２（図２参照）が取り外された状態で示されている。
【００１７】
図３に示されるように、本体装置１２は、フレーム部材３４と、メイン基板３６と、バッテリ３８と、サブ基板４０と、フレキシブルケーブル４２とを有する。フレーム部材３４、メイン基板３６、サブ基板４０、及び、フレキシブルケーブル４２は、上述のケース２８に収容される。
【００１８】
フレーム部材３４は、概略格子状に形成されている。このフレーム部材３４は、キーボードユニット１６の背面側に配置され、アッパーカバー３０に固定される。フレーム部材３４は、アッパーカバー３０に固定された状態において、キーボードユニット１６の背面側からキーボードユニット１６を支持する。
【００１９】
メイン基板３６は、「回路基板」の一例であり、フレーム部材３４に対するキーボードユニット１６と反対側からフレーム部材３４に組み付けられる。このメイン基板３６には、上述の表示器１８の駆動等を行うための複数の電子部品が実装されている。
【００２０】
フレーム部材３４及びメイン基板３６は、本体装置１２の横幅方向の一方側（左側）に偏って配置されており、このフレーム部材３４及びメイン基板３６に対する本体装置１２の横幅方向の他方側（右側）には、上述のベイ２０が形成される。
【００２１】
フレーム部材３４及びメイン基板３６は、本体装置１２の横幅方向にベイ２０と並んで設けられている。バッテリ３８は、本体装置１２の横幅方向に延びており、本体装置１２の後側の端部に設けられる。このバッテリ３８は、本体装置１２の前後方向にベイ２０と隣接して配置される。
【００２２】
ベイ２０の横幅方向両側の側部には、ベイ２０に挿入されるユニットをガイドするための側壁部４４，４６がそれぞれ形成されている。バッテリ３８とベイ２０との間（バッテリ３８と側壁部４４との間）には、スペース４８（デッドスペース）が存在する。このスペース４８には、サブ基板４０が配置される。
【００２３】
メイン基板３６の小型化のために、サブ基板４０には、メイン基板３６が元々有する機能が移設されるか、又は、機能拡張のための部品（例えば、インターフェースコネクタ）などが実装される。このサブ基板４０は、ベイ２０の側方に位置し、ベイ２０の奥行方向（本体装置１２の横幅方向）に沿って延びている。
【００２４】
メイン基板３６及びサブ基板４０は、本体装置１２の厚さ方向を板厚方向として配置されている。このメイン基板３６及びサブ基板４０は、フレキシブルケーブル４２によって接続される。フレキシブルケーブル４２は、平らに形成されており、平面視にて概略Ｌ字状に形成されている。すなわち、このフレキシブルケーブル４２は、サブ基板４０から本体装置１２の前側に向けて延びる配線部５０と、この配線部５０の先端部から本体装置１２の横幅方向の一方側（左側）に向けて延びる配線部５２とを有する。
【００２５】
また、フレキシブルケーブル４２におけるサブ基板４０側の一端部は、接続部５４として形成されている。フレキシブルケーブル４２の接続部５４側には、折曲部５６が形成されており、接続部５４は、本体装置１２の上側に向けて延びている。この接続部５４は、サブ基板４０の下面に実装されたコネクタ５８に接続される。
【００２６】
一方、フレキシブルケーブル４２におけるメイン基板３６側の他端部は、接続部６０として形成されている。この接続部６０は、本体装置１２の前側に向けて延びており、メイン基板３６の下面に実装されたコネクタ６２に接続される。配線部５２の長さ方向の中央部には、段差部６４が形成されており、フレキシブルケーブル４２における段差部６４よりも接続部５４側は、フレキシブルケーブル４２における段差部６４よりも接続部６０側に対して本体装置１２の底面側に位置する。
【００２７】
図３に示されるように、上述のフレーム部材３４には、保護部６６が形成されている（図４，図５も適宜参照）。この保護部６６は、フレーム部材３４に片持ち状に形成されており、フレーム部材３４からベイ２０側に延出されている。この保護部６６は、フレキシブルケーブル４２に対応して配置されており、ベイ２０に設けられる。保護部６６には、保護部６６の縁部に沿って保護部６６の先端部へ延びるリブ６８が形成されている。このリブ６８は、本体装置１２の底面側に向けて立設されている。
【００２８】
また、保護部６６には、上述のフレキシブルケーブル４２の段差部６４に対応する段差部７０が形成されており、保護部６６における先端側は、保護部６６における基端側よりも本体装置１２の底面側に位置する。保護部６６の先端部と、保護部６６の段差部７０には、後述する接続ケーブル８６（図６，図７参照）をクランプするためのクランプ部７２，７４がそれぞれ形成されている。
【００２９】
図６には、ノート型パーソナルコンピュータ１０の底面図が示されており、図７には、ノート型パーソナルコンピュータ１０を底面側から見た斜視図が示されている。この図６，図７では、それぞれロアカバー３２が取り外された状態で示されており、さらに、図７では、バッテリ３８が取り外された状態で示されている。また、図６，図７では、ベイ２０に光ディスクドライブユニット２２が挿入されている。
【００３０】
この図６，図７に示されるように、フレキシブルケーブル４２は、ベイ２０を通り、保護部６６に沿って配線される。また、フレキシブルケーブル４２は、本体装置１２の厚さ方向から見た場合に、ベイ２０に挿入された光ディスクドライブユニット２２の一部と重複する。本体装置１２の厚さ方向は、「ユニットの挿抜方向と直交する方向」の一例である。
【００３１】
フレキシブルケーブル４２は、光ディスクドライブユニット２２に対する本体装置１２の底面側を通る。保護部６６は、光ディスクドライブユニット２２がベイ２０に挿入された状態において、光ディスクドライブユニット２２とフレキシブルケーブル４２との間に配置される。
【００３２】
また、保護部６６に形成されたリブ６８は、より具体的には、ガイド壁７６と、保護壁７８とを有する。ガイド壁７６は、光ディスクドライブユニット２２の側面部に沿って設けられており、ベイ２０に挿入される光ディスクドライブユニット２２をガイドする機能を有する。このガイド壁７６は、ベイ２０に挿入された光ディスクドライブユニット２２とフレキシブルケーブル４２との間に配置される。
【００３３】
保護壁７８は、ガイド壁７６から保護部６６の先端部側へ延びている。この保護壁７８は、フレキシブルケーブル４２よりもベイ２０の出入口側に位置する。クランプ部７２，７４は、フレキシブルケーブル４２（配線部５０）の横幅方向の両側にそれぞれ設けられている。
【００３４】
図６，図７に示されるように、光ディスクドライブユニット２２は、より具体的には、平盤状の本体部８０と、本体部８０の側面から延出する延出部８２とを有する。この本体部８０と延出部８２との間には、光ディスクドライブユニット２２の厚さ方向の段差８４が形成されている。保護部６６は、ベイ２０に光ディスクドライブユニット２２が挿入された状態において、段差８４に配置される。
【００３５】
図６，図７に示されるように、ノート型パーソナルコンピュータ１０には、接続ケーブル８６が設けられている。この接続ケーブル８６は、表示装置１４に搭載された例えばアンテナ等の部材とメイン基板３６とを接続する。
【００３６】
この接続ケーブル８６は、本体装置１２の後側の角部に設けられたヒンジ部材８８の傍を通過すると共にサブ基板４０及びフレキシブルケーブル４２に沿って配線されメイン基板３６に延びている。この接続ケーブル８６は、フレキシブルケーブル４２に対する保護部６６と反対側（つまり、フレキシブルケーブル４２に対する本体装置１２の底面側）を通っている。
【００３７】
また、接続ケーブル８６は、フレキシブルケーブル４２（配線部５０）の横幅方向の両側においてクランプ部７２，７４にそれぞれ保持されている。そして、接続ケーブル８６は、一対のクランプ部７２，７４の間、及び、クランプ部７４とメイン基板３６の間において、それぞれフレキシブルケーブル４２を保護部６６側に押え付けている。
【００３８】
具体的には、接続ケーブル８６は、一対のクランプ部７２，７４の間では、フレキシブルケーブル４２における折曲部５６の近傍部に沿って配線され、該近傍部を保護部６６側に押え付けている。また、接続ケーブル８６は、クランプ部７４とメイン基板３６の間では、フレキシブルケーブル４２の段差部６４に沿って配線され、該段差部６４を保護部６６側に押え付けている。
【００３９】
図８には、ベイ２０に光ディスクドライブユニット２２が挿入される過程が示されており、図９には、ベイ２０に光ディスクドライブユニット２２が挿入された状態が示されている。図８，図９に示されるように、保護部６６とキーボードユニット１６との間には、光ディスクドライブユニット２２の側部に設けられた延出部８２を挿入できる空間が確保されている。
【００４０】
図１０には、図９のＦ１０−Ｆ１０線断面図が示されている。図１０に示されるように、フレキシブルケーブル４２は、ロアカバー３２に設けられた構造物に近接して配置されている。
【００４１】
特に、ロアカバー３２には、スライド式のバッテリロック９０が設けられている（図１１，図１２も参照）。このバッテリロック９０は、フレキシブルケーブル４２に対する保護部６６と反対側に設けられている。バッテリロック９０は、スライド位置に応じて、バッテリ３８をケース２８に固定するロック状態と、バッテリ３８とケース２８との固定を解除するロック解除状態とに切り替わる。
【００４２】
接続ケーブル８６は、上述の通り、フレキシブルケーブル４２に対する保護部６６と反対側からフレキシブルケーブル４２を保護部６６側に押え付けている。このため、フレキシブルケーブル４２とバッテリロック９０との間には、隙間が確保されている。
【００４３】
次に、本実施形態の作用及び効果について説明する。
【００４４】
以上詳述したように、フレキシブルケーブル４２は、ベイ２０を通っており、本体装置１２の厚さ方向から見た場合に、フレキシブルケーブル４２は、ベイ２０に挿入された光ディスクドライブユニット２２の一部と重複する。しかしながら、ベイ２０には、保護部６６が設けられており、この保護部６６は、ベイ２０に挿入された光ディスクドライブユニット２２とフレキシブルケーブル４２との間に配置される。したがって、ベイ２０に対して光ディスクドライブユニット２２が挿抜された場合でも、光ディスクドライブユニット２２とフレキシブルケーブル４２との干渉を抑制することができる。これにより、光ディスクドライブユニット２２の挿抜時にフレキシブルケーブル４２が傷付くことを抑制することができる。
【００４５】
また、保護部６６は、キーボードユニット１６を支持するフレーム部材３４に形成されている。したがって、光ディスクドライブユニット２２とフレキシブルケーブル４２との干渉を抑制するための専用の部材を用いる場合に比して、部材点数及び組立工数の増加を抑制することができるので、コストダウンを図ることができる。
【００４６】
また、フレキシブルケーブル４２は、接続ケーブル８６によって保護部６６側に押え付けられている。したがって、フレキシブルケーブル４２に対する保護部６６と反対側（本体装置１２の底面側）に例えばバッテリロック９０等の部材が配置されている場合でも、このバッテリロック９０等の部材とフレキシブルケーブル４２との干渉を抑制することができる。したがって、このことによっても、フレキシブルケーブル４２が傷付くことを抑制することができる。
【００４７】
また、接続ケーブル８６は、保護部６６に設けられたクランプ部７２，７４によってクランプされている。したがって、接続ケーブル８６を保護部６６に固定することができるので、接続ケーブル８６によってフレキシブルケーブル４２を保護部６６側に押え付けた状態に保持することができる。
【００４８】
特に、クランプ部７２，７４は、フレキシブルケーブル４２（配線部５０）の横幅方向の両側にそれぞれ設けられており、接続ケーブル８６は、フレキシブルケーブル４２の横幅方向の両側においてクランプ部７２，７４にそれぞれ保持されている。したがって、接続ケーブル８６を保護部６６にしっかりと固定することができるので、接続ケーブル８６によってフレキシブルケーブル４２を保護部６６により安定して押え付けることができる。
【００４９】
また、接続ケーブル８６は、フレキシブルケーブル４２における折曲部５６の近傍部に沿って配線され、該近傍部を保護部６６側に押え付けている。したがって、折曲部５６の弾性力（復元力）によりフレキシブルケーブル４２がロアカバー３２側（本体装置１２の底面側）に膨らむことを抑制することができる。これにより、バッテリロック９０等の部材とフレキシブルケーブル４２との干渉をより効果的に抑制することができる。
【００５０】
また、保護部６６は、フレーム部材３４に片持ち状に形成されているが、この保護部６６には、保護部６６の縁部に沿って保護部６６の先端部へ延びるリブ６８が形成されている。したがって、このリブ６８により保護部６６の剛性を確保することができる。
【００５１】
また、このリブ６８は、光ディスクドライブユニット２２の側面部に沿って設けられ、光ディスクドライブユニット２２をガイドするガイド壁７６を有する。したがって、このリブ６８により、光ディスクドライブユニット２２の挿抜時の操作性を向上させることができる。
【００５２】
しかも、ガイド壁７６は、ベイ２０に挿入された光ディスクドライブユニット２２とフレキシブルケーブル４２との間に配置される。これにより、光ディスクドライブユニット２２の挿抜時に光ディスクドライブユニット２２とフレキシブルケーブル４２とが干渉することをガイド壁７６によって抑制することができる。したがって、このことによっても、光ディスクドライブユニット２２の挿抜時にフレキシブルケーブル４２が傷付くことを抑制することができる。
【００５３】
また、リブ６８は、フレキシブルケーブル４２よりもベイ２０の出入口側に位置する保護壁７８を有する。これにより、光ディスクドライブユニット２２の挿抜時に光ディスクドライブユニット２２とフレキシブルケーブル４２とが干渉することをリブ６８によって抑制することができる。したがって、このことによっても、光ディスクドライブユニット２２の挿抜時にフレキシブルケーブル４２が傷付くことを抑制することができる。
【００５４】
また、光ディスクドライブユニット２２は、平盤状の本体部８０と、本体部８０の側面から延出する延出部８２とを有し、本体部８０と延出部８２との間には、光ディスクドライブユニット２２の厚さ方向の段差８４が形成されている。そして、保護部６６は、ベイ２０に光ディスクドライブユニット２２が挿入された状態において段差８４に配置される。したがって、保護部６６によって本体装置１２の厚さ方向の寸法が増加することを抑制することができるので、本体装置１２の薄型化を図ることができる。
【００５５】
また、バッテリ３８とベイ２０との間（バッテリ３８と側壁部４４との間）には、スペース４８（デッドスペース）が存在しており、このスペース４８には、サブ基板４０が配置されている。したがって、デッドスペースをサブ基板４０の配置のために有効に活用することができるので、本体装置１２の実装効率を向上させることができる。
【００５６】
次に、本実施形態の変形例について説明する。
【００５７】
上記実施形態では、「情報処理装置」の一例として、ノート型パーソナルコンピュータ１０について説明したが、上述のベイ２０及び保護部６６を有する構造は、ノート型パーソナルコンピュータ以外の情報処理装置に適用されても良い。
【００５８】
また、上述の保護部６６を有する構造は、ベイ以外の収容空間を有する情報処理装置に適用されても良い。
【００５９】
また、保護部６６は、好ましくは、フレーム部材３４に形成されるが、フレーム部材以外の部材に形成されても良い。また、保護部６６は、専用の部材とされていても良い。
【００６０】
また、上記実施形態において、フレキシブルケーブル４２は、メイン基板３６とサブ基板４０とを接続するが、他の部材同士を接続していても良い。
【００６１】
また、本体装置１２は、好ましくは、メイン基板３６及びサブ基板４０を有するが、サブ基板４０を有していなくても良い。また、この場合に、フレキシブルケーブル４２は、メイン基板３６（回路基板）と他の部材とを接続していても良い。
【００６２】
また、上記実施形態では、「ユニット」の一例として、光ディスクドライブユニット２２がベイ２０に挿入されているが、光ディスクドライブユニット以外に、例えばＨＤＤ（Hard Disk Drive）ユニット等のユニットがベイ２０に挿入されても良い。
【００６３】
また、ノート型パーソナルコンピュータ１０は、好ましくは、光ディスクドライブユニット２２、増設バッテリユニット２４、及び、ダミーユニット２６のいずれかを備えるが、これらを備えなくても良い。つまり、ノート型パーソナルコンピュータ１０には、ユニットが付属されずに、ユニットは、オプション品とされていても良い。
【００６４】
また、ベイ２０にユニットが挿入されない場合、ベイ２０の開口は、開放されていても良いし、蓋材等によって閉塞されていても良い。
【００６５】
なお、上記複数の変形例のうち組み合わせ可能な変形例は、適宜、組み合わされて実施されても良い。
【００６６】
以上、本願の開示する技術の一実施形態について説明したが、本願の開示する技術は、上記に限定されるものでなく、上記以外にも、その主旨を逸脱しない範囲内において種々変形して実施可能であることは勿論である。
【００６７】
なお、上述の本願の開示する技術の一態様に関し、更に以下の付記を開示する。
【００６８】
（付記１）
ユニットが挿抜される収容空間を有するケースと、
前記ユニットの挿抜方向と直交する方向から見た場合に、前記収容空間に挿入された前記ユニットと重複し、前記収容空間を通るフレキシブルケーブルと、
前記収容空間に設けられ、前記収容空間に挿入された前記ユニットと前記フレキシブルケーブルとの間に配置される保護部と、
を備える情報処理装置。
（付記２）
キーボードユニットと、
前記キーボードユニットの背面側から前記キーボードユニットを支持するフレーム部材と、
を備え、
前記保護部は、前記フレーム部材に形成されている、
付記１に記載の情報処理装置。
（付記３）
前記ケースと、前記ケースに収容された回路基板とを有する本体装置と、
前記本体装置に回動可能に固定された表示装置と、
前記表示装置に搭載された部材と前記回路基板とを接続する接続ケーブルと、
を備え、
前記接続ケーブルは、前記フレキシブルケーブルに対する前記保護部と反対側から前記フレキシブルケーブルを前記保護部側に押え付けている、
付記１又は付記２に記載の情報処理装置。
（付記４）
前記保護部は、前記接続ケーブルを保持するクランプ部を有する、
付記３に記載の情報処理装置。
（付記５）
前記クランプ部は、前記フレキシブルケーブルの横幅方向の両側にそれぞれ設けられ、
前記接続ケーブルは、前記フレキシブルケーブルの横幅方向の両側において前記クランプ部にそれぞれ保持されている、
付記４に記載の情報処理装置。
（付記６）
前記フレキシブルケーブルは、折曲部を有し、
前記接続ケーブルは、前記フレキシブルケーブルにおける前記折曲部の近傍部に沿って配線され、該近傍部を前記保護部側に押え付けている、
付記３〜付記５のいずれか一項に記載の情報処理装置。
（付記７）
前記収容空間と隣接して配置されたバッテリと、
前記フレキシブルケーブルに対する前記保護部と反対側に設けられ、前記バッテリを前記ケースに固定するロック状態と、前記バッテリと前記ケースとの固定を解除するロック解除状態とに切り替わるバッテリロックと、
を備える、
付記３〜付記６のいずれか一項に記載の情報処理装置。
（付記８）
キーボードユニットと、
前記キーボードユニットの背面側から前記キーボードユニットを支持するフレーム部材と、
を備え、
前記保護部は、前記フレーム部材に片持ち状に形成され、
前記保護部には、前記保護部の縁部に沿って前記保護部の先端部へ延びるリブが形成されている、
付記１〜付記７のいずれか一項に記載の情報処理装置。
（付記９）
前記リブは、前記ユニットの側面部に沿って設けられ、前記ユニットをガイドするガイド壁を有する、
付記８に記載の情報処理装置。
（付記１０）
前記ガイド壁は、前記収容空間に挿入された前記ユニットと前記フレキシブルケーブルとの間に配置される、
付記９に記載の情報処理装置。
（付記１１）
前記リブは、前記フレキシブルケーブルよりも前記収容空間の出入口側に位置する保護壁を有する、
付記８〜付記１０のいずれか一項に記載の情報処理装置。
（付記１２）
前記ユニットは、平盤状の本体部と、前記本体部の側面から延出する延出部とを有し、
前記本体部と前記延出部との間には、前記ユニットの厚さ方向の段差が形成され、
前記保護部は、前記収容空間に前記ユニットが挿入された状態において前記段差に配置される、
付記１〜付記１１のいずれか一項に記載の情報処理装置。
（付記１３）
前記収容空間と隣接して配置されたバッテリと、
前記ケースに収容されたメイン基板と、
前記収容空間と前記バッテリとの間のスペースに配置されたサブ基板と、
を備え、
前記フレキシブルケーブルは、前記メイン基板と前記サブ基板とを接続する、
付記１〜付記１２のいずれか一項に記載の情報処理装置。
（付記１４）
前記情報処理装置は、ノート型パーソナルコンピュータである、
付記１〜付記１３のいずれか一項に記載の情報処理装置。
【符号の説明】
【００６９】
１０  ノート型パーソナルコンピュータ（情報処理装置の一例）
１２  本体装置
１４  表示装置
２０  ベイ（収容空間の一例）
２２  光ディスクドライブユニット（ユニットの一例）
２８  ケース
３４  フレーム部材
３６  メイン基板（回路基板の一例）
３８  バッテリ
４０  サブ基板
４２  フレキシブルケーブル
６６  保護部
８６  接続ケーブル
９０  バッテリロック
【図１】
0006468558.tif 000002
【図２】
0006468558.tif 000003
【図３】
0006468558.tif 000004
【図４】
0006468558.tif 000005
【図５】
0006468558.tif 000006
【図６】
0006468558.tif 000007
【図７】
0006468558.tif 000008
【図８】
0006468558.tif 000009
【図９】
0006468558.tif 000010
【図１０】
0006468558.tif 000011
【図１１】
0006468558.tif 000012
【図１２】
0006468558.tif 000013